(57)【要約】【課題】パソコン及びカラープリンターを使用して、簡単に印刷することができる印刷用布帛を提供する。また、これを用いてスポーツ競技者用ゼッケン、ポスター、及び室内用装飾品等の物品を提供する。【解決手段】表面に印刷インク受容層２０を備える印刷用布帛１であって、裏面に接着剤層３０及び剥離紙４０を順次備え、剥離紙４０を剥離したときに接着剤層３０が印刷用布帛１側に残留するようにする。また、印刷用布帛１側に残留した接着剤層３０が、他の布帛に接着可能であり、また、他の布帛に接着した印刷用布帛１を剥離したときに、接着剤層３０が再び印刷用布帛１側に残留する。【選択図】図１
2009075227.tif 000002
【特許請求の範囲】
【請求項１】
表面に印刷インク受容層を備える印刷用布帛であって、裏面に接着剤層及び剥離紙を順次備え、前記剥離紙を剥離したときに前記接着剤層が前記布帛側に残留することを特徴とする印刷用布帛。
【請求項２】
形状寸法が、日本工業規格で定められたものであることを特徴とする請求項１に記載の印刷用布帛。
【請求項３】
前記布帛側に残留した前記接着剤層が、他の資材に貼着可能であると共に、前記他の資材から剥離したときに再び前記布帛側に残留することを特徴とする請求項１又は２に記載の印刷用布帛。
【請求項４】
前記接着剤層が耐熱性に優れ、レーザープリンターで印刷可能であることを特徴とする請求項１乃至３の何れかに記載の印刷用布帛。
【請求項５】
請求項１乃至４の印刷用布帛を用いて形成したことを特徴とするスポーツ競技者用ゼッケン。
【請求項６】
請求項１乃至４の印刷用布帛を用いて形成したことを特徴とするワッペン。
【請求項７】
請求項１乃至４の印刷用布帛を用いて形成したことを特徴とするポスター。
【請求項８】
請求項１乃至４の印刷用布帛を用いて形成したことを特徴とする室内広告又は室内装飾品。
【請求項９】
請求項１乃至４の印刷用布帛を用いて形成したことを特徴とするラベル又はシール。
【発明の詳細な説明】
【技術分野】
【０００１】
本発明は、パソコンと共に使用されている一般的なプリンターで印刷可能な印刷用布帛に関する。
【背景技術】
【０００２】
染色業界等においては、従来の染料捺染や顔料捺染に代わる染色方法として、インクジェットプリンターによる染色方法が提案されている。例えば、特許文献１にはインクジェット記録用布帛およびインクジェット記録方法が記載されている。また、特許文献２にはインクジェット印刷方法及び装置が記載されている。しかしながら、これらに記載された方法は、工業的な規模で布帛に印刷する方法であって、一般家庭やオフィスにおいては利用することができない。
【０００３】
すなわち、現在では、パソコン及びカラープリンターが一般家庭やオフィスに普及しているが、これらの印刷対象は紙又は専用フィルムに限られており、布帛に印刷することはできない。その最大の理由は、布帛は軟らかいためにプリンター内部での搬送が困難であり、皺や歪を生じ易いためである。
【０００４】
布帛への印刷に関しては、一般家庭やオフィスにおいても潜在的な需要が予想される。例えば、特許文献３にはスポーツ競技者が使用するゼッケンに関する発明が記載されており、団体名や氏名等を色彩で表示することが記載されている。しかし、実際にこのようなゼッケンを入手するには染色業者に発注しなければならず、多大なコストと時間を必要としている。
【０００５】
パソコンとカラープリンターを使用して、紙と同じように布帛に印刷することができるならば、絵や写真等を取り入れて、自由なデザインを施したゼッケンを手軽に、短時間で作ることができる。その他、布帛を用いた屋外用のポスター、布帛を用いたワッペン、布帛を用いた室内広告や室内装飾品、布帛を用いたラベルやシール等に多様な用途が考えられる。
【０００６】
また、スポーツ競技者用ゼッケンは、安全ピンで着衣に着けることが多いが、競技者の動きにより脱落し易く、そのまま放置されると危険である。このため、特許文献３に記載されたスポーツ競技者用ゼッケンは、紐で結んで競技者に着けるようにしているが、紐は競技者の動きを制限するなど、競技の邪魔になり易く紐を使用しないゼッケンとすることが好ましい。また、ポスターや室内装飾品等においては、画鋲を用いて壁等に貼り付けることが多いが、画鋲を使用しないで貼り付けることができれば便利である。
【特許文献１】特開２０００−２２６７８１号公報
【特許文献２】特開２００１−６３１６１号公報
【特許文献３】特開２００４−９３５９８号公報
【発明の開示】
【発明が解決しようとする課題】
【０００７】
本発明は上記の課題を解決したものであり、現在一般家庭やオフィスにおいて普及しているパソコン及びカラープリンターを使用して、簡単に印刷することができる印刷用布帛を提供することを目的とする。また、この印刷用布帛を用いることにより、スポーツ競技者用ゼッケン、ワッペン、ポスター、室内広告、室内装飾品、ラベル、シール等の物品を手軽に提供することを目的とする。
【課題を解決するための手段】
【０００８】
上記の課題を解決するために、本発明の請求項１に係る印刷用布帛は、表面に印刷インク受容層を備える印刷用布帛であって、裏面に接着剤層及び剥離紙を順次備え、前記剥離紙を剥離したときに前記接着剤層が前記布帛側に残留する手段を採用している。
【０００９】
また、本発明の請求項２に係る印刷用布帛は、請求項１に記載の印刷用布帛であって、形状寸法が、日本工業規格で定められたものである手段を採用している。また、本発明の請求項３に係る印刷用布帛は、請求項１又は２に記載の印刷用布帛であって、前記布帛側に残留した前記接着剤層が、他の資材に貼着可能であると共に、前記他の資材から剥離したときに再び前記布帛側に残留する手段を採用している。また、本発明の請求項４に係る印刷用布帛は、請求項１乃至３の何れかに記載の印刷用布帛であって、前記接着剤層が耐熱性に優れ、レーザープリンターで印刷可能である手段を採用している。
【００１０】
また、請求項５乃至９に係る発明は、請求項１乃至４に記載の印刷用布帛を用いて形成した物品に係る発明であって、請求項５に係る物品はスポーツ競技者用ゼッケンであり、請求項６に係る物品はワッペンであり、請求項７に係る物品はポスターであり、請求項８に係る物品は室内広告又は室内装飾品であり、請求項９に係る物品はラベル又はシールである。
【発明の効果】
【００１１】
本発明の印刷用布帛は、剥離紙と一体になっているので、一般家庭やオフィスで使用しているパソコン及びカラープリンターにより、紙と同様に印刷することができる。そして、インクジェットプリンターでもレーザープリンターでも印刷することができる。また、本発明の印刷用布帛は、剥離紙を剥離して他の資材に貼着することができる。そして、他の資材から再び剥離する場合には、接着剤が他の資材に付着することなく剥離され、また、紙の場合のように破れたりすることがない。したがって、他の資材の表面を汚すことなく、元の表面状態に戻すことができる。
【００１２】
本発明の印刷用布帛を使用した各物品は、素材が布帛であるために、紙と比べて軟らかいこと、紙と比べて破れ難いこと、衣類等に馴染み易いこと等の特徴を活かして多様な用途を備えることになる。例えば、本発明のスポーツ競技者用ゼッケンは、競技者のシャツ等に貼り付けることができるので安全であり、布地で軟らかいために競技の妨げになることもない。その他、ワッペン、ポスター、室内広告、室内装飾品、ラベル及びシール等の物品を提供することができる。
【発明を実施するための最良の形態】
【００１３】
図１は、本発明に係る印刷用布帛の実施の形態を単純化して模式的に示す説明図であり、図２は、本発明に係る印刷用布帛の実施の形態を図１よりも多少現実的に示す説明図である。
【００１４】
本発明の印刷用布帛１は、素地布帛１０の一方の面（表面）に印刷インク受容層２０を備えている。素地布帛１０としては、綿、麻、羊毛、絹等の天然繊維及びポリアミド、ポリエステル、レーヨン、キュプラ、アセテート、ビニロン、ポリプロピレン等の化学繊維を用いることができる。なお、本発明において布帛とは、織物に限らず編物、不織布及びこれらを複合したものも含むこととする。
【００１５】
素地布帛１０は、製織時に付着する薬剤等の不純物を除くために精練処理されていることが好ましい。また、鮮明なカラー印刷を行うために、白色に染色処理されていることが好ましい。そして、この印刷用布帛１は、一般的なパソコン及びカラープリンターを使用して印刷することを目的としているので、その形状寸法としては、日本工業規格で定められたＡ列又はＢ列を標準とすることが好ましい。
【００１６】
印刷インク受容層２０は、インクの滲みを防止して鮮明な画像を印刷すると共に、耐水性に優れた画像とするために施されるものであり、特許文献１等多くの文献で紹介されているものを使用することができる。具体的には、シリカ、アルミナ、クレー等の吸湿性体質顔料、ＰＶＡ、澱粉、酢酸ビニル、アクリル、ウレタン等のバインダー、多価金属塩（アルミニウム、カルシウム、マグネシウム等）、カチオン性界面活性剤（塩化ベンザルコニウム等）、カチオン性ポリマー（染料フィックス剤、高分子凝集剤、帯電防止剤等）等のインク定着剤（耐水化剤）、酸化防止剤、紫外線吸収剤、防炎剤等の添加剤等である。
【００１７】
なお、印刷インク受容層２０は、その一部又は全部を素地布帛１０に含浸させて形成することも少なくない。図２には、印刷インク受容層２０の一部が、素地布帛１０に含浸した状態で形成されている場合を示している。
【００１８】
また、本発明の印刷用布帛１は、他方の面（裏面）に接着剤層３０及び剥離紙４０を順次備えている。すなわち、素地布帛１０及び剥離紙４０が一体に形成されている。したがって、本発明の印刷用布帛１は、素地布帛１０の軟らかい性状ではなく、剥離紙４０と同様に紙の性状を備えることになり、通常の印刷用紙と同様にカラープリンターで使用することができる。
【００１９】
また、本発明の印刷用布帛１は、剥離紙４０を剥離したときに、接着剤層３０が剥離紙４０の側に残留するのではなく素地布帛１０の側に残留するようにしている。したがって、素地布帛１０の表面にカラープリンターで印刷した後に剥離紙４０を取り除くと、素地布帛１０の裏面を他の資材、すなわち他の布帛や紙等に貼着することができる。
【００２０】
接着剤層３０に用いる糊剤としては、ラベル等で広く使用されている糊剤、例えば、ウレタン系、ポリエステル系、アクリル系等の糊剤を使用することができる。そして、他の資材に貼着した素地布帛１０を剥離したときに、接着剤層３０が他の資材の側に残留することなく、再び素地布帛１０の側に残留するように、糊剤を適宜選択することが好ましい。
【００２１】
本発明の印刷用布帛１に印刷を施すプリンターは、インクジェットプリンターに限らずレーザープリンターも使用することができる。ただし、本発明の印刷用布帛１をレーザープリンター用とする場合には、プリンター内部で剥離紙４０が剥離を起こさないように、１８０〜２１０℃の耐熱性を備えた糊剤を適宜選択して接着剤層３０を形成することが好ましい。
【００２２】
なお、接着剤層３０は、その一部を素地布帛１０に含浸させて形成することも少なくない。図２には、接着剤層３０の一部が、素地布帛１０に含浸した状態で形成されている場合を示している。
【００２３】
本発明の印刷用布帛１を用いた物品としては、例えば、スポーツ競技者用ゼッケンとすることができる。すなわち、印刷用布帛１の表面に競技者番号、団体名、氏名等の他、絵や写真を含めて色彩に富んだゼッケンを、手軽に素早く製作することができる。また、競技者が使用するときは、剥離紙４０を剥離することによりユニフォーム等に簡単に貼着することができる。安全ピンを使用しないので安全であり、また、素材が軟らかい布地であると共に紐も使用しないので、競技者は動きを制限されることなく自由に競技をすることができる。また、競技が終了すれば、簡単にユニフォーム等から剥離することができる。
【００２４】
また、本発明の印刷用布帛１は、種々のワッペンとすることができる。すなわち、複雑な文様を含むマーク等を印刷することにより、制服のブレザー等に貼着するワッペンとすることができる。また、旅行ツアーのメンバーが衣服に同一のワッペンを着用することにより、迷子になることなく容易に団体行動をすることができる。その他、子供が好むキャラクターのワッペンや、商品等を宣伝するためのワッペン等も考えられる。
【００２５】
また、本発明の印刷用布帛１は、宣伝用のポスターとすることができる。すなわち、絵や写真を含む自由なデザインを印刷することにより、屋内用又は屋外用のポスターを作製することができる。そして、剥離紙４０を剥離することにより壁などに簡単に貼着することができる。また、不必要となったときは、簡単に剥離することができる。紙製のポスターと違って破れ難く、また、画鋲を必要としないので便利である。
【００２６】
また、本発明の印刷用布帛１は、室内広告の室内装飾品とすることができる。例えば、商店において布地に記載された「○○○キャンペーン実施中」、「本日のサービスメニュー」といった広告は、紙に記載された広告と違って、落ち着いた軟らかい雰囲気を演出することになる。また、本発明の印刷用布帛１は、絵や写真を、或いはこれに自由なデザインを加えて印刷することにより、家庭やオフィスでの室内装飾品とすることができる。そして、剥離紙４０を剥離することにより壁などに簡単に貼着することができる。また、不必要となったときは、簡単に剥離することができる。
【００２７】
また、本発明の印刷用布帛１は、従来使用されている紙製のラベルやシールに代わって、装飾を兼ねた布製のラベルやシールとすることもできる。例えば、家庭やオフィスにおいて、単なるメモとして壁などに貼着した場合でも、紙の場合と違って、その場所を心地良く装飾することができる。
【実施例】
【００２８】
ポリエステル布帛（東レ社製ポンジー）を日華化学社製のサンモーＨＳ３を用いて精練した後、ユービテックス社製のＥＲＮを用いて白色に染色したものを素地布帛として用いた。
この表面にアクリル系樹脂（高松油脂社製ＲＳ−９４５Ｌ）を１０．７ｇ／ｍ2塗布して印刷インク受理層を形成した。
また裏面にはアクリル系糊剤（日栄加工社製Ｓ−９２０）を２２．５ｇ／ｍ2塗布して接着剤層を形成し、その上に剥離紙を設けた。
このようにして製作された印刷用布帛は、通常のインクジェットプリンター及びレーザープリンターを用いて、通常の印刷用紙と同様にカラー印刷できることを確認し、また、この印刷物がスポーツ競技者用のゼッケンとして使用できることを確認した。
【図面の簡単な説明】
【００２９】
【図１】本発明の印刷用布帛の一形態を模式的に示す説明図である。
【図２】本発明の印刷用布帛の他の形態を模式的に示す説明図である。
【符号の説明】
【００３０】
１    印刷用布帛
１０    素地布帛
２０    印刷インク受容層
３０    接着剤層
４０    剥離紙
【図１】
2009075227.tif 000003
【図２】
2009075227.tif 000004